(57)【要約】【課題】販売機会損失に関する評価を適切に行う。【解決手段】情報処理装置は、選択された時間帯において売り場内に存在した販売接客者の位置と、顧客の位置と、に基づいて、選択された時間帯において販売接客者が接客できたのに接客していなかった総接客可能時間を算出し（Ｓ１０〜Ｓ３０）、該総接客可能時間と、選択された時間帯において売り場内に存在していた顧客の数とに基づいて、販売機会ロス期待値を算出する（Ｓ３２）。【選択図】図５
2015052892.tif 000002
【特許請求の範囲】
【請求項１】
販売接客者の店舗内位置を検出する販売接客者位置検出装置と、
顧客の店舗内位置を検出する顧客位置検出装置と、
所定の時間帯において店舗内に存在した販売接客者の店舗内位置と、前記所定の時間帯において店舗内に存在した顧客の店舗内位置と、に基づいて、前記所定の時間帯において前記店舗内に存在した販売接客者が接客できたのに接客していなかった接客可能時間を算出し、該接客可能時間と、前記所定の時間帯において店舗内に存在した顧客の数とに基づいて、前記所定の時間帯における販売機会損失に関する評価を行う処理装置と、を備える評価システム。
【請求項２】
前記処理装置は、前記所定の時間帯において前記店舗内に存在した顧客の数を前記接客可能時間で除した値に基づいて、前記所定の時間帯における販売機会損失に関する評価を行うことを特徴とする請求項１に記載の評価システム。
【請求項３】
前記処理装置は、前記販売機会損失に関する評価が予め定めた基準よりも悪い時間帯において前記店舗内に存在した販売接客者の店舗内位置に基づいて、前記店舗内に存在した販売接客者の行動を分析し、出力することを特徴とする請求項１又は２に記載の評価システム。
【請求項４】
前記処理装置は、前記販売機会損失に関する評価が予め定めた基準よりも悪い時間帯において、前記販売接客者がレジ近傍に位置した時間、前記販売接客者がカウンター近傍に位置した時間、及び前記販売接客者がバックヤードに位置した時間を算出し、前記店舗内に存在した販売接客者の行動を分析することを特徴とする請求項３に記載の評価システム。
【請求項５】
売上商品と、売上時刻と、前記売上商品を売り上げた販売接客者の情報と、を関連付けて記憶する記憶装置を更に備え、
前記処理装置は、前記記憶装置を参照して、売上商品ごとに、該売上商品を売り上げるために前記売上商品を売り上げた販売接客者がレジ近傍に位置した時間、該販売接客者がカウンター近傍に位置した時間、及び該販売接客者がバックヤードに位置した時間を算出し、前記店舗内に存在した販売接客者の行動を分析することを特徴とする請求項４に記載の評価システム。
【請求項６】
所定の時間帯において店舗内に存在した販売接客者の店舗内位置と、前記所定の時間帯において店舗内に存在した顧客の店舗内位置と、に基づいて、前記所定の時間帯において前記店舗内に存在した販売接客者が接客できたのに接客していなかった接客可能時間を算出し、
前記接客可能時間と、前記所定の時間帯において店舗内に存在した顧客の数とに基づいて、前記所定の時間帯における販売機会損失に関する評価を行う、処理をコンピュータに実行させる評価プログラム。
【請求項７】
所定の時間帯において店舗内に存在した販売接客者の店舗内位置と、前記所定の時間帯において店舗内に存在した顧客の店舗内位置と、に基づいて、前記所定の時間帯において前記店舗内に存在した販売接客者が接客できたのに接客していなかった接客可能時間を算出する工程と、
前記接客可能時間と、前記所定の時間帯において店舗内に存在した顧客の数とに基づいて、前記所定の時間帯における販売機会損失に関する評価を行う工程と、をコンピュータが実行することを特徴とする評価方法。
【発明の詳細な説明】
【技術分野】
【０００１】
本発明は、評価システム、評価プログラム及び評価方法に関する。
【背景技術】
【０００２】
従来、店舗において、顧客の行動を把握して、商品の販売機会損失を測定する技術が知られている（例えば、特許文献１、２等参照）。
【先行技術文献】
【特許文献】
【０００３】
【特許文献１】特開２００１−３３１８７５号公報
【特許文献２】国際公開第２００５／１１１８８０号
【発明の概要】
【発明が解決しようとする課題】
【０００４】
販売接客者が顧客と対話して商品を販売するような形態の店舗（デパートなど）では、顧客の行動のほか、販売接客者の行動も販売機会損失に関係していると考えられる。しかしながら、上記特許文献１，２等においては、販売接客者の行動までは考慮されていなかった。
【０００５】
１つの側面では、本発明は、販売機会損失に関する評価を適切に行うことが可能な評価システム、評価プログラム及び評価方法を提供することを目的とする。
【課題を解決するための手段】
【０００６】
一つの態様では、評価システムは、販売接客者の店舗内位置を検出する販売接客者位置検出装置と、顧客の店舗内位置を検出する顧客位置検出装置と、所定の時間帯において店舗内に存在した販売接客者の店舗内位置と、前記所定の時間帯において店舗内に存在した顧客の店舗内位置と、に基づいて、前記所定の時間帯において前記店舗内に存在した販売接客者が接客できたのに接客していなかった接客可能時間を算出し、該接客可能時間と、前記所定の時間帯において店舗内に存在した顧客の数とに基づいて、前記所定の時間帯における販売機会損失に関する評価を行う処理装置と、を備えている。
【０００７】
一つの態様では、評価プログラムは、所定の時間帯において店舗内に存在した販売接客者の店舗内位置と、前記所定の時間帯において店舗内に存在した顧客の店舗内位置と、に基づいて、前記所定の時間帯において前記店舗内に存在した販売接客者が接客できたのに接客していなかった接客可能時間を算出し、前記接客可能時間と、前記所定の時間帯において店舗内に存在した顧客の数とに基づいて、前記所定の時間帯における販売機会損失に関する評価を行う、処理をコンピュータに実行させるプログラムである。
【０００８】
一つの態様では、評価方法は、所定の時間帯において店舗内に存在した販売接客者の店舗内位置と、前記所定の時間帯において店舗内に存在した顧客の店舗内位置と、に基づいて、前記所定の時間帯において前記店舗内に存在した販売接客者が接客できたのに接客していなかった接客可能時間を算出する工程と、前記接客可能時間と、前記所定の時間帯において店舗内に存在した顧客の数とに基づいて、前記所定の時間帯における販売機会損失に関する評価を行う工程と、をコンピュータが実行する評価方法である。
【発明の効果】
【０００９】
販売機会損失に関する評価を適切に行うことができる。
【図面の簡単な説明】
【００１０】
【図１】一実施形態に係る評価システムの構成を概略的に示す図である。
【図２】情報処理装置のハードウェア構成を示す図である。
【図３】情報処理装置の機能ブロック図である。
【図４】図４（ａ）は、売上実績テーブルのデータ構造を示す図であり、図４（ｂ）は、販売接客者移動軌跡テーブルのデータ構造を示す図であり、図４（ｃ）は、顧客移動軌跡テーブルのデータ構造を示す図である。
【図５】販売機会ロス期待値の算出処理を示すフローチャートである。
【図６】売り場内の平面図の一例である。
【図７】作業状況時系列テーブルの一例を示す図である。
【図８】図８（ａ）は、販売接客者・顧客間の距離を求めた例を示す図であり、図８（ｂ）は、図８（ａ）販売接客者・顧客間の距離の変化を示すグラフである。
【図９】図９（ａ）は、販売接客者のバックヤード中心からの距離の変化を示すグラフであり、図９（ｂ）は、販売接客者のカウンターからの距離の変化を示すグラフであり、図９（ｃ）は、販売接客者のレジからの距離の変化を示すグラフである。
【図１０】図１０（ａ）は、販売機会ロス期待値の変化を示すグラフであり、図１０（ｂ）は、顧客数の変化を示すグラフであり、図１０（ｃ）は、バックヤード滞留時間の変化を示すグラフであり、図１０（ｄ）は、カウンター時間の変化を示すグラフであり、図１０（ｅ）は、レジ時間の変化を示すグラフである。
【図１１】要因分析処理を示すフローチャートである。
【図１２】図１１のステップＳ７２の処理を説明するための図である。
【図１３】出力部が出力する情報の一例を示す図である。
【発明を実施するための形態】
【００１１】
以下、一実施形態にかかる評価システムについて、図１〜図１３に基づいて詳細に説明する。図１には、一実施形態にかかる評価システム１００の構成が概略的に示されている。なお、評価システム１００は、デパートなどの店舗の売り場内における販売接客者及び顧客の位置を検出し、当該検出結果や商品の売上の情報などに基づいて、販売接客者による販売機会損失に関する評価を実行するシステムである。販売接客者による販売機会損失に関する評価には、販売機会を損失した度合い（販売機会ロス期待値）の算出や、該販売機会ロス期待値が高い要因の分析が含まれる。
【００１２】
評価システム１００は、図１に示すように、販売接客者位置検出装置２０と、顧客位置検出装置３０と、レジ端末４０と、処理装置としての情報処理装置１０と、利用者端末５０と、管理端末６０とを備える。評価システム１００の各部は、インターネットやＬＡＮ（Local Area Network）などのネットワーク８０に接続されている。
【００１３】
販売接客者位置検出装置２０は、売り場内における販売接客者の位置を検出する装置である。販売接客者位置検出装置２０は、一例として、売り場内に複数設けられたＷｉＦｉ基地局と、販売接客者それぞれが保持する端末と、を有し、ＷｉＦｉ基地局と端末との間の通信強度に基づいて、販売接客者の売り場内における位置を検出する。なお、販売接客者位置検出装置２０による検出結果は情報処理装置１０に送信される。
【００１４】
顧客位置検出装置３０は、売り場内における顧客の位置を検出する装置であり、一例として複数のレーザセンサを有するものとする。顧客位置検出装置３０は、ある顧客が売り場の領域に入ってから出るまでの位置の変化を追跡することができる。なお、顧客位置検出装置３０による検出結果は、情報処理装置１０に送信される。
【００１５】
なお、販売接客者位置検出装置２０及び顧客位置検出装置３０は、上記構成に限らず、その他の位置検出可能な装置（例えば、カメラを利用した装置など）を採用することとしてもよい。
【００１６】
レジ端末４０は、商品の売上に関するデータを蓄積し、情報処理装置１０に送信する。商品の売上に関するデータには、商品の情報（商品名や価格）の他、売上時刻や商品を販売した販売接客者の情報（氏名等）などが含まれる。
【００１７】
情報処理装置１０は、販売接客者位置検出装置２０、顧客位置検出装置３０及びレジ端末４０からデータを取得し、該データを処理して販売接客者による販売機会損失に関する評価を実行する装置である。
【００１８】
図２には、情報処理装置１０のハードウェア構成が概略的に示されている。この図２に示すように、情報処理装置１０は、ＣＰＵ９０、ＲＯＭ９２、ＲＡＭ９４、記憶部（ここではＨＤＤ（Hard Disk Drive））９６、ネットワークインタフェース９７及び可搬型記憶媒体用ドライブ９９等を備えており、情報処理装置１０の構成各部は、バス９８に接続されている。情報処理装置１０では、ＲＯＭ９２あるいはＨＤＤ９６に格納されているプログラム（評価プログラム）、或いは可搬型記憶媒体用ドライブ９９が可搬型記憶媒体９１から読み取ったプログラム（評価プログラム）をＣＰＵ９０が実行することにより、図３の各部の機能が実現される。
【００１９】
図３は、情報処理装置１０の機能ブロック図を示している。図３に示すように、情報処理装置１０においては、ＣＰＵ９０がプログラムを実行することで、データ収集部１２と、解析部１４と、出力部１６としての機能が実現されている。なお、図３には、ＨＤＤ９６等に格納されている記憶装置としての売上実績テーブル７２、販売接客者移動軌跡テーブル７４、顧客移動軌跡テーブル７６、作業状況時系列テーブル７８も図示されている。
【００２０】
データ収集部１２は、販売接客者位置検出装置２０、顧客位置検出装置３０及びレジ端末４０からデータを収集し、売上実績テーブル７２、販売接客者移動軌跡テーブル７４、及び顧客移動軌跡テーブル７６に格納する。
【００２１】
ここで、売上実績テーブル７２は、図４（ａ）に示すような、データ構造を有している。具体的には、売上実績テーブル７２は、「領収書Ｎｏ．」、「レジＮｏ．」、「商品分類」、「商品コード」、「商品名」、「売上時刻」、「売上金額」、「売上者」の各フィールドを有する。「領収書Ｎｏ．」のフィールドには、領収書の識別番号（通し番号）が格納され、「レジＮｏ．」のフィールドには、レジの識別番号が格納される。「商品分類」のフィールドには、顧客が購入した商品の分類（Ｙシャツ、ネクタイなど）が格納され、「商品コード」のフィールドには、商品の識別コードが格納され、「商品名」のフィールドには、商品の名称が格納される。また、「売上時刻」のフィールドには、顧客が商品を購入した時刻（売上者が商品の情報を入力した時刻）が格納され、「売上金額」のフィールドには、売り上げた商品の金額が格納され、「売上者」のフィールドには、売り上げた販売接客者の氏名が格納される。
【００２２】
販売接客者移動軌跡テーブル７４は、図４（ｂ）に示すような、データ構造を有している。具体的には、図４（ｂ）に示すように、販売接客者移動軌跡テーブル７４は、「時刻」及び「位置」の各フィールドを有しており、各時刻における各販売接客者の位置（Ｘ，Ｙ座標で表される位置）を格納する。なお、販売接客者移動軌跡テーブル７４は、販売接客者ごとに用意されているものとする（図４（ｂ）は、販売接客者Ｐのテーブルを示している）。
【００２３】
顧客移動軌跡テーブル７６は、図４（ｃ）に示すような、データ構造を有している。具体的には、図４（ｃ）に示すように、顧客移動軌跡テーブル７６は、「時刻」及び「位置」の各フィールドを有しており、各時刻における各顧客の位置（Ｘ，Ｙ座標で表される位置）を格納する。なお、顧客移動軌跡テーブル７６は、販売接客者ごとに用意されているものとする（図４（ｃ）は、顧客Ｋのテーブルを示している）。
【００２４】
図３に戻り、解析部１４は、売上実績テーブル７２、販売接客者移動軌跡テーブル７４、及び顧客移動軌跡テーブル７６に格納されているデータを用いて、販売接客者による販売機会損失に関する評価を行う。なお、解析部１４の具体的な処理については、後述する。
【００２５】
出力部１６は、解析部１４の評価結果を利用者端末５０に対して出力する。
【００２６】
利用者端末５０は、例えば、店舗において販売接客者の管理を行っている人が利用するＰＣ（Personal Computer）などの端末、あるいは販売接客者が利用する端末である。利用者端末５０は、解析部１４の評価結果を閲覧するために利用される。
【００２７】
管理端末６０は、評価システム１００の管理者が利用する端末であり、解析部１４の処理において用いる各種閾値などを設定する端末である。
【００２８】
次に、本実施形態の評価システム１００の処理について、図５〜図１３に基づいて説明する。
【００２９】
（販売機会ロス期待値の算出処理）
まず、解析部１４が実行する販売機会ロス期待値の算出処理について、図５に基づいて説明する。なお、店舗内には、図６に示すような売り場とバックヤードが存在し、売り場には、レジ及びカウンターが設置されているものとする。
【００３０】
なお、図５の処理は、例えば、店舗が閉店している夜間において、１日の間に取得されたデータを用いて実行される処理である。
【００３１】
図５の処理では、まず、ステップＳ１０において、解析部１４が、１日のうちの最初の時間帯を選択する。なお、時間帯とは、３０分や１時間単位の時間幅を意味する。
【００３２】
次いで、ステップＳ１２では、解析部１４が、売り場やバックヤード内に存在していた販売接客者のうち、最初の販売接客者を選択する。
【００３３】
次いで、ステップＳ１４では、解析部１４が、選択された時間帯に関する選択された販売接客者の作業状況時系列テーブル７８を作成する。ここで、作業状況時系列テーブル７８は、図７に示すようなデータ構造を有している。具体的には、作業状況時系列テーブル７８には、「接客」を行っていた時間の情報（開始時刻、終了時刻、時間）、及び「レジ」、「カウンター」、「バックヤード」で作業を行っていた時間の情報（開始時刻、終了時刻、時間）が格納される。また、「レジ」で作業を行っていた場合には、そのときに売り上げた商品の商品分類も格納される。
【００３４】
ここで、解析部１４は、販売接客者移動軌跡テーブル７４の販売接客者の位置と、顧客移動軌跡テーブル７６の顧客の位置とに基づいて、販売接客者が顧客と所定距離以内に接近した状態を所定時間以上維持した場合に「接客」を行っていたと判断する。具体的には、解析部１４は、図８（ａ）に示すように、各時刻における販売接客者と顧客の位置関係から、販売接客者・顧客間の距離を求め、図８（ｂ）に示すように、グラフ化する。そして、解析部１４は、販売接客者・顧客間の距離が所定距離（一点鎖線のライン）以内の状態を接客判定時間閾値以上維持した場合に、「接客」を行っていたと判断する。
【００３５】
また、解析部１４は、販売接客者移動軌跡テーブル７４の販売接客者の位置に基づいて、図９（ａ）に示すように、バックヤード中心の位置からの距離の変化を求め、当該距離が所定の閾値（一点鎖線で示すライン）よりも小さい状態が所定時間継続した場合に、販売接客者がバックヤード内に存在していると判断する。また、解析部１４は、販売接客者移動軌跡テーブル７４の販売接客者の位置に基づいて、図９（ｂ）に示すように、カウンターからの距離の変化を求め、当該距離が所定の閾値（一点鎖線で示すライン）よりも小さい状態が所定時間継続した場合に、販売接客者がカウンターで作業をしていると判断する。また、解析部１４は、販売接客者移動軌跡テーブル７４の販売接客者の位置に基づいて、図９（ｃ）に示すように、レジからの距離の変化を求め、当該距離が所定の閾値（一点鎖線で示すライン）よりも小さい状態が所定時間継続した場合に、販売接客者がレジで作業をしていると判断する。そして、解析部１４は、各状態の開始時刻、終了時刻を作業状況時系列テーブル７８に格納するとともに、各状態の継続時間（＝終了時刻−開始時刻）を算出して、作業状況時系列テーブル７８の「時間」の欄に格納する。更に、解析部１４は、選択されている販売接客者が「レジ」で作業していた時間内において売り上げた商品を売上実績テーブル７２から取得し、作業状況時系列テーブル７８の「売上商品分類」の欄に格納する。
【００３６】
次いで、ステップＳ１６では、解析部１４が、作業状況時系列テーブル７８に基づいて、接客時間（＝ＳＬ）を集計する。この場合、接客時間（ＳＬ）の集計結果として、ＳＬ＝Ｌ１＋Ｌ２＋Ｌ３＋Ｌ４＋Ｌ５＋Ｌ６＋…が得られる。
【００３７】
次いで、ステップＳ１８では、解析部１４が、作業状況時系列テーブル７８に基づいて、レジ時間（Ｒ）、カウンター時間（Ｃ）、バックヤード時間（Ｂ）を集計する。この場合も、レジ時間（Ｒ）の集計結果として、Ｒ＝Ｒ１＋Ｒ２＋Ｒ３＋…が得られ、カウンター時間（Ｃ）の集計結果として、Ｃ＝Ｃ１＋Ｃ２＋Ｃ３＋…が得られ、バックヤード時間（Ｂ）の集計結果として、Ｂ＝Ｂ１＋…が得られる。
【００３８】
次いで、ステップＳ２０では、解析部１４が、接客可能時間を算出する。ここで、解析部１４は、次式（１）に基づいて接客可能時間を算出する。
接客可能時間＝総作業時間−（ＳＬ＋Ｒ＋Ｃ＋Ｂ）      …（１）
【００３９】
なお、接客可能時間は、販売接客者が接客できたはずであるのに接客していなかった時間を意味する。
【００４０】
次いで、ステップＳ２４では、解析部１４が、全ての販売接客者を処理済か否かを判断する。ここでの判断が否定された場合には、ステップＳ２６に移行し、解析部１４が、次の販売接客者を選択し、ステップＳ１４に戻る。以降、ステップＳ１４〜Ｓ２６の処理・判断を繰り返し、ステップＳ２４の判断が肯定された段階で、ステップＳ３０に移行する。
【００４１】
なお、ステップＳ３０に移行した段階では、選択された時間帯における、全販売接客者の接客可能時間が集計されている。
【００４２】
次いで、ステップＳ３０では、解析部１４が、選択された時間帯について、全販売接客者の接客可能時間を集計する。なお、ここでの集計結果を、以下においては、「総接客可能時間」と呼ぶものとする。
【００４３】
次いで、ステップＳ３２では、解析部１４が、販売機会ロス期待値を算出する。なお、販売機会ロス期待値は、次式（２）に基づいて算出する。
販売機会ロス期待値＝顧客数÷総接客可能時間      …（２）
【００４４】
ここで、販売機会ロス期待値は、総接客可能時間が一定の場合、顧客数が多いほど大きい値となり、顧客数が一定の場合、総接客可能時間が少ないほど大きい値となる。すなわち、販売機会ロス期待値は、より多くの時間を接客に割いていれば増やすことができた販売機会の多さを意味している。
【００４５】
次いで、ステップＳ３４では、解析部１４が、全時間帯の処理が終了したか否かを判断する。ここでの判断が否定された場合には、ステップＳ３６に移行し、解析部１４が、次の時間帯を選択した後、ステップＳ１２に戻る。その後は、ステップＳ１２以降の処理・判断を繰り返し、全時間帯の処理が終了した段階で、図５の全処理を終了する。
【００４６】
なお、本実施形態では、図５の全処理を終了した段階で、図１０（ａ）に示すような販売機会ロス期待値の変化が得られたとする。また、顧客数、バックヤード滞留時間、カウンター時間、レジ時間は、図１０（ｂ）〜図１０（ｅ）に示すような時間変化を示したものとする。
【００４７】
（要因分析処理）
次に、図１１のフローチャートに沿って、要因分析処理について説明する。本処理は、販売機会ロス期待値が大きい時間帯において、販売機会ロス期待値を大きくした要因を分析する処理である。
【００４８】
図１１の処理では、まず、ステップＳ５０において、解析部１４が、最初の時間帯を選択する。次いで、ステップＳ５２では、解析部１４が、選択した時間帯の販売機会ロス期待値を取得する。
【００４９】
次いで、ステップＳ５４では、解析部１４が、取得した販売機会ロス期待値が閾値を超えているか否かを判断する。なお、販売機会ロス期待値が閾値を超えている時間帯とは、販売機会損失に関する評価が予め定めた基準よりも悪い時間帯であるといえる。ここでの判断が否定された場合には、ステップＳ７４に移行し、解析部１４は、全時間帯の処理が終了したか否かを判断する。ここでの判断が否定された場合、解析部１４は、ステップＳ７６において次の時間帯を選択した後、ステップＳ５２に戻る。すなわち、ステップＳ５４、Ｓ７４が否定されている間は、販売機会ロス期待値が閾値を超えている時間帯を探索しているともいえる。
【００５０】
販売機会ロス期待値が閾値を超えている時間帯があった場合、ステップＳ５４の判断は肯定され、ステップＳ５６に移行する。
【００５１】
ステップＳ５６に移行した場合、解析部１４は、最初の販売接客者を選択する。次いで、ステップＳ５８では、解析部１４が、販売機会ロス期待値が閾値を超えている時間帯に関する、選択された販売接客者の作業状況時系列テーブル７８を作成する。なお、本ステップＳ５８の処理は、図５のステップＳ１４と同様の処理である。
【００５２】
次いで、ステップＳ６０では、解析部１４が、最初の商品を選択する。なお、本ステップでは、解析部１４は、「Ｃ１コート」や「Ｓ２スーツ」などの商品分類を選択する。
【００５３】
次いで、ステップＳ６２では、解析部１４が、選択された商品に紐づくレジ時間（Ｒ）、カウンター時間（Ｃ）、バックヤード時間（Ｂ）を集計する。ここでは、図７に示すように、ある商品を売り上げた後、次の商品を売り上げるまでの時間が当該次の商品に関する作業を行った時間に相当する。したがって、解析部１４は、選択した商品に関する作業を行った時間のうちの、レジ時間（Ｒ）、カウンター時間（Ｃ）、バックヤード時間（Ｂ）を、選択された商品に紐づくレジ時間（Ｒ）、カウンター時間（Ｃ）、バックヤード時間（Ｂ）として集計する。
【００５４】
次いで、ステップＳ６４では、解析部１４が、作業状況時系列テーブルにある全ての商品を処理を終了したか否かを判断する。ここでの判断が否定された場合には、ステップＳ６６に移行し、解析部１４は、次の商品を選択した後、ステップＳ６２、Ｓ６４の処理・判断を上記と同様にして実行する。そして、ステップＳ６４の判断が肯定された段階で、ステップＳ６８に移行する。
【００５５】
ステップＳ６８に移行すると、解析部１４は、全ての販売接客者についての処理が終了したか否かを判断する。ここでの判断が否定された場合には、ステップＳ７０に移行し、解析部１４は、次の販売接客者を選択した後、ステップＳ５８に戻る。その後は、ステップＳ５８〜Ｓ７０の処理・判断を繰り返し、全販売接客者の処理が終了した段階（ステップＳ６８の判断が肯定された段階）で、ステップＳ７２に移行する。
【００５６】
ステップＳ７２に移行すると、解析部１４は、商品単位で、レジ時間、カウンター時間、バックヤード時間を集計する。図１２は、ステップＳ７２の集計結果の一例を示すグラフである。
【００５７】
次いで、ステップＳ７４では、解析部１４が、全時間帯の処理が終了したか否かを判断する。ここでの判断が否定された場合には、解析部１４は、ステップＳ７６に移行し、次の時間帯を選択した後、ステップＳ５２に戻る。
【００５８】
一方、全時間帯の処理が終了し、ステップＳ７４の判断が肯定された場合には、図１１の全処理を終了する。
【００５９】
本実施形態では、図１１の処理の後、出力部１６が、図１３に示すような情報を利用者端末５０に対して出力する。図１３の情報の中には、販売機会ロス期待値が所定の閾値（一点鎖線のライン）を超えた時間帯の情報が含まれているとともに、当該時間帯において各商品の売上のために費やした時間（レジ時間（Ｒ）、カウンター時間（Ｃ）、バックヤード時間（Ｂ））が含まれている。図１３の情報を閲覧した人（販売接客者や販売接客者を管理する管理者）は、商品「Ｊ２ジャケット」のカウンター時間やバックヤード時間が長いため、改善の余地がある、ということを知ることができる。これにより、店舗の売り上げの向上のための販売接客者に対する施策を講じることが可能になるとともに、バックヤード内における商品配置などの施策を講じることも可能となる。
【００６０】
以上、詳細に説明したように、本実施形態によると、情報処理装置１０は、選択された時間帯において売り場内に存在した販売接客者の位置と、顧客の位置と、に基づいて、選択された時間帯において販売接客者が接客できたのに接客していなかった総接客可能時間を算出し、該総接客可能時間と、選択された時間帯において売り場内に存在していた顧客の数とに基づいて、販売機会ロス期待値を算出する。このように、販売接客者の位置と顧客の位置とに基づいて算出される総接客可能時間から販売機会ロス期待値を算出することで、販売機会損失に関する評価を適切に行うことができる。
【００６１】
また、本実施形態によると、情報処理装置１０は、販売機会ロス期待値を、選択された時間帯において売り場内に存在した顧客の数を総接客可能時間で除して算出するので、簡易な計算により販売機会損失に関する評価を適切に行うことができる。
【００６２】
また、本実施形態によると、情報処理装置１０は、販売機会ロス期待値が所定の閾値を超えている時間帯において売り場内に存在した販売接客者の位置に基づいて、販売接客者の行動を分析し、出力する（図１３）。これにより、販売機会ロス期待値が所定の閾値を超えた要因を分析し、出力することが可能となる。
【００６３】
また、本実施形態によると、情報処理装置１０は、販売機会ロス期待値が所定の閾値を超えている時間帯において、売上商品に紐づく販売接客者のレジ時間（Ｒ）、カウンター時間（Ｃ）、及びバックヤード時間（Ｂ）を算出し、販売接客者の行動を分析するので、販売機会ロス期待値が所定の閾値を超えた要因がどの商品に対するどの作業であるかを分析することが可能となる。
【００６４】
なお、上記実施形態では、図１３に示すように、販売機会ロス期待値が閾値を超えた時間帯において、各商品に紐づくレジ時間、カウンター時間、及びバックヤード時間を算出し、出力する場合について説明したが、これに限られるものではない。例えば、商品を考慮せずに、該時間帯におけるレジ時間、カウンター時間、及びバックヤード時間を算出し、出力するようにしてもよい。このようにしても、どの作業に時間を費やしているかを分析することが可能となる。
【００６５】
また、上記実施形態では、販売機会ロス期待値を上式（２）に基づいて算出する場合について説明したが、これに限らず、顧客数と総接客可能時間を用いたその他の式に基づいて算出することとしてもよい。
【００６６】
また、上記実施形態では、図１３の情報において、比較対象として、販売機会ロス期待値が閾値を超えていない時間帯における、各商品に紐づくレジ時間、カウンター時間、及びバックヤード時間を出力するようにしてもよい。
【００６７】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００６８】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００６９】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００７０】
上述した実施形態は本発明の好適な実施の例である。但し、これに限定されるものではなく、本発明の要旨を逸脱しない範囲内において種々変形実施可能である。
【００７１】
なお、以上の実施形態の説明に関して、更に以下の付記を開示する。
（付記１）  販売接客者の店舗内位置を検出する販売接客者位置検出装置と、
顧客の店舗内位置を検出する顧客位置検出装置と、
所定の時間帯において店舗内に存在した販売接客者の店舗内位置と、前記所定の時間帯において店舗内に存在した顧客の店舗内位置と、に基づいて、前記所定の時間帯において前記店舗内に存在した販売接客者が接客できたのに接客していなかった接客可能時間を算出し、該接客可能時間と、前記所定の時間帯において店舗内に存在した顧客の数とに基づいて、前記所定の時間帯における販売機会損失に関する評価を行う処理装置と、を備える評価システム。
（付記２）  前記処理装置は、前記所定の時間帯において前記店舗内に存在した顧客の数を前記接客可能時間で除した値に基づいて、前記所定の時間帯における販売機会損失に関する評価を行うことを特徴とする付記１に記載の評価システム。
（付記３）  前記処理装置は、前記販売機会損失に関する評価が予め定めた基準よりも悪い時間帯において前記店舗内に存在した販売接客者の店舗内位置に基づいて、前記店舗内に存在した販売接客者の行動を分析し、出力することを特徴とする付記１又は２に記載の評価システム。
（付記４）  前記処理装置は、前記販売機会損失に関する評価が予め定めた基準よりも悪い時間帯において、前記販売接客者がレジ近傍に位置した時間、前記販売接客者がカウンター近傍に位置した時間、及び前記販売接客者がバックヤードに位置した時間を算出し、前記店舗内に存在した販売接客者の行動を分析することを特徴とする付記３に記載の評価システム。
（付記５）  売上商品と、売上時刻と、前記売上商品を売り上げた販売接客者の情報と、を関連付けて記憶する記憶装置を更に備え、
前記処理装置は、前記記憶装置を参照して、売上商品ごとに、該売上商品を売り上げるために前記売上商品を売り上げた販売接客者がレジ近傍に位置した時間、該販売接客者がカウンター近傍に位置した時間、及び該販売接客者がバックヤードに位置した時間を算出し、前記店舗内に存在した販売接客者の行動を分析することを特徴とする付記４に記載の評価システム。
（付記６）  所定の時間帯において店舗内に存在した販売接客者の店舗内位置と、前記所定の時間帯において店舗内に存在した顧客の店舗内位置と、に基づいて、前記所定の時間帯において前記店舗内に存在した販売接客者が接客できたのに接客していなかった接客可能時間を算出し、
前記接客可能時間と、前記所定の時間帯において店舗内に存在した顧客の数とに基づいて、前記所定の時間帯における販売機会損失に関する評価を行う、処理をコンピュータに実行させる評価プログラム。
（付記７）  前記評価を行う処理では、前記所定の時間帯において前記店舗内に存在した顧客の数を前記接客可能時間で除した値に基づいて、前記所定の時間帯における販売機会損失に関する評価を行うことを特徴とする付記６に記載の評価プログラム。
（付記８）  前記販売機会損失に関する評価が予め定めた基準よりも悪い時間帯において前記店舗内に存在した販売接客者の店舗内位置に基づいて、前記店舗内に存在した販売接客者の行動を分析し、出力する処理を前記コンピュータに更に実行させることを特徴とする付記６又は７に記載の評価プログラム。
（付記９）  前記分析し、出力する処理では、前記販売機会損失に関する評価が予め定めた基準よりも悪い時間帯において、前記販売接客者がレジ近傍に位置した時間、前記販売接客者がカウンター近傍に位置した時間、及び前記販売接客者がバックヤードに位置した時間を算出し、前記店舗内に存在した販売接客者の行動を分析することを特徴とする付記８に記載の評価プログラム。
（付記１０）  売上商品と、売上時刻と、前記売上商品を売り上げた販売接客者の情報と、を関連付けて記憶する処理を前記コンピュータが更に実行し、
前記分析し、出力する処理では、売上商品ごとに、該売上商品を売り上げるために前記売上商品を売り上げた販売接客者がレジ近傍に位置した時間、該販売接客者がカウンター近傍に位置した時間、及び該販売接客者がバックヤードに位置した時間を算出し、前記店舗内に存在した販売接客者の行動を分析することを特徴とする付記９に記載の評価プログラム。
（付記１１）  所定の時間帯において店舗内に存在した販売接客者の店舗内位置と、前記所定の時間帯において店舗内に存在した顧客の店舗内位置と、に基づいて、前記所定の時間帯において前記店舗内に存在した販売接客者が接客できたのに接客していなかった接客可能時間を算出する工程と、
前記接客可能時間と、前記所定の時間帯において店舗内に存在した顧客の数とに基づいて、前記所定の時間帯における販売機会損失に関する評価を行う工程と、をコンピュータが実行することを特徴とする評価方法。
（付記１２）  前記評価を行う工程では、前記所定の時間帯において前記店舗内に存在した顧客の数を前記接客可能時間で除した値に基づいて、前記所定の時間帯における販売機会損失に関する評価を行うことを特徴とする付記１１に記載の評価方法。
（付記１３）  前記販売機会損失に関する評価が予め定めた基準よりも悪い時間帯において前記店舗内に存在した販売接客者の店舗内位置に基づいて、前記店舗内に存在した販売接客者の行動を分析し、出力する工程を前記コンピュータが更に実行することを特徴とする付記１１又は１２に記載の評価方法。
（付記１４）  前記分析し、出力する工程では、前記販売機会損失に関する評価が予め定めた基準よりも悪い時間帯において、前記販売接客者がレジ近傍に位置した時間、前記販売接客者がカウンター近傍に位置した時間、及び前記販売接客者がバックヤードに位置した時間を算出し、前記店舗内に存在した販売接客者の行動を分析することを特徴とする付記１３に記載の評価方法。
（付記１５）  売上商品と、売上時刻と、前記売上商品を売り上げた販売接客者の情報と、を関連付けて記憶する工程を前記コンピュータが更に実行し、
前記分析し、出力する工程では、売上商品ごとに、該売上商品を売り上げるために前記売上商品を売り上げた販売接客者がレジ近傍に位置した時間、該販売接客者がカウンター近傍に位置した時間、及び該販売接客者がバックヤードに位置した時間を算出し、前記店舗内に存在した販売接客者の行動を分析することを特徴とする付記１４に記載の評価方法。
【符号の説明】
【００７２】
１０  情報処理装置（処理装置）
２０  販売接客者位置検出装置
３０  顧客位置検出装置
７２  売上実績テーブル（記憶装置）
１００  評価システム
【図１】
2015052892.tif 000003
【図２】
2015052892.tif 000004
【図３】
2015052892.tif 000005
【図４】
2015052892.tif 000006
【図５】
2015052892.tif 000007
【図６】
2015052892.tif 000008
【図７】
2015052892.tif 000009
【図８】
2015052892.tif 000010
【図９】
2015052892.tif 000011
【図１０】
2015052892.tif 000012
【図１１】
2015052892.tif 000013
【図１２】
2015052892.tif 000014
【図１３】
2015052892.tif 000015